(57)【特許請求の範囲】
【請求項１】
被写体の撮像を行う撮像部と、
前記撮像部の出力データに基づいて画像データを生成する画像データ生成部と、
ユーザーが設定した手動絞り値と手動シャッター速度とを受け付ける設定受付部と、
前記手動絞り値を適用した場合に前記被写体の明るさに応じた適正露出となるシャッター速度を自動シャッター速度として特定する絞り優先自動露出処理部と、
前記手動絞り値と前記自動シャッター速度とを適用して前記撮像部に撮像を行わせて前記画像データ生成部に自動露出画像データを生成させ、前記自動露出画像データと前記手動絞り値と前記手動シャッター速度とに基づいて手動露出画像データを生成し、前記自動露出画像データが示す自動露出画像と前記手動露出画像データが示す手動露出画像とを表示部に表示させる制御部と、
を備える撮影装置。
【請求項２】
前記絞り優先自動露出処理部は、前記自動シャッター速度が撮影装置の対応可能な最高速値より速くなる場合は、前記最高速値を前記自動シャッター速度として特定し、また、前記手動絞り値が示す開口径より小さい開口径に対応する絞り値を前記適正露出となる自動絞り値として特定し、前記自動シャッター速度が撮影装置の対応可能な最低速値より遅くなる場合は、前記最低速値を前記自動シャッター速度として特定し、また、前記手動絞り値が示す開口径より大きい開口径に対応する絞り値を前記適正露出となる自動絞り値として特定し、
前記制御部は、前記自動シャッター速度と前記自動絞り値とを適用して前記撮像部に撮像を行わせて前記画像データ生成部に前記自動露出画像データを生成させる、
請求項１に記載の撮影装置。
【請求項３】
前記制御部は、前記手動露出画像データの明るさが予め決められた上限値より明るくなる場合は前記明るさが前記上限値となるように前記手動露出画像データを生成して表示させ、前記手動露出画像データの明るさが予め決められた下限値より暗くなる場合は前記明るさが前記下限値となるように前記手動露出画像データを生成して表示させる、
請求項１または請求項２に記載の撮影装置。
【請求項４】
撮像部が、被写体の撮像を行う撮像工程と、
画像データ生成部が、前記撮像部の出力データに基づいて画像データを生成する画像データ生成工程と、
設定受付部が、ユーザーが設定した手動絞り値と手動シャッター速度とを受け付ける設定受付工程と、
絞り優先自動露出処理部が、前記手動絞り値を適用した場合に前記被写体の明るさに応じた適正露出となるシャッター速度を自動シャッター速度として特定する絞り優先自動露出処理工程と、
制御部が、前記手動絞り値と前記自動シャッター速度とを適用して前記撮像部に撮像を行わせて前記画像データ生成部に自動露出画像データを生成させ、前記自動露出画像データと前記手動絞り値と前記手動シャッター速度とに基づいて手動露出画像データを生成し、前記自動露出画像データが示す自動露出画像と前記手動露出画像データが示す手動露出画像とを表示部に表示させる制御工程と、
を含む撮影方法。
【発明の詳細な説明】
【技術分野】
【０００１】
本発明は、撮影装置、撮影方法に関し、特に手動露出モード時のライブビュー表示に関する。
【背景技術】
【０００２】
特許文献１には、ライブビュー表示において、適正露出となるような自動露出パラメーターを適用して撮像した被写体画像に、手動露出パラメーターを適用して撮像する場合の被写体画像の輝度ヒストグラムを重畳して、表示部に表示する撮影装置について記載されている。
【先行技術文献】
【特許文献】
【０００３】
【特許文献１】特開２００７−１１０４５４号公報
【発明の概要】
【発明が解決しようとする課題】
【０００４】
光学ファインダーの代替としてＥＶＦ（Electronic View Finder）を採用した撮影装置の場合、ライブビュー画像を撮影し表示する際には自動露出で撮影されることが前提であった。手動シャッター速度や手動絞り値等の手動露出パラメーターを適用して撮像を行う手動露出モードの場合であっても、手動露出パラメーターが適正値から大きく外れている場合はライブビュー画像で被写体を著しく視認しにくくなるので、ライブビュー画像における被写体の視認性を確保するために自動露出で撮影され表示される。しかし、自動露出で撮影されているライブビュー画像を見て、ユーザーは自身が設定した手動露出パラメーターが適正であるかどうかを判断することができない。特許文献１の手法により、ユーザーは適正露出の被写体のライブビュー画像を視認しながら、手動露出パラメーターで撮影する場合の輝度分布を認識することができる。そのため、輝度ヒストグラムを参考にしてユーザーはシャッター速度や絞り値を調整することは可能である（但し、ヒストグラムの形状を手動露出パラメーター調整の判断材料とするのは熟練者でなければ容易ではない）。一方、手動露出モードの場合、特許文献１に記載の撮影装置では、手動露出パラメーターを適用した場合の被写体の画像の輝度分布を認識することはできても、手動露出パラメーターを適用した場合の被写界深度を確認することはできない。
【０００５】
本発明は、上記課題にかんがみてなされたもので、手動露出モード時にライブビュー画像を表示する場合に、手動露出パラメーターを適用した場合の被写体の明るさや被写界深度をユーザーに認識させることを目的とする。
【課題を解決するための手段】
【０００６】
上記目的を達成するための撮影装置は、撮像部と、画像データ生成部と、設定受付部と、絞り優先自動露出処理部と、制御部と、を備える。撮像部は、被写体の撮像を行い、被写体の像を示すデータを出力する。画像データ生成部は、撮像部の出力データに基づいて画像データを生成する。設定受付部は、ユーザーが設定した手動絞り値と手動シャッター速度とを受け付ける。絞り優先自動露出処理部は、手動絞り値を適用した場合に被写体の明るさに応じた適正露出となるシャッター速度を自動シャッター速度として特定する。すなわち絞り優先で自動露出処理を行い、自動シャッター速度を特定する。
【０００７】
制御部は、手動絞り値と、絞り優先自動露出処理部が特定した自動シャッター速度と、を適用して撮像部に撮像を行わせて画像データ生成部に自動露出画像データを生成させる。また制御部は、生成された自動露出画像データと手動絞り値と手動シャッター速度とに基づいて手動露出画像データを生成する。例えば、手動絞り値と絞り優先自動露出処理部で特定された自動シャッター速度と撮像素子の感度（これらは自動露出画像データの明るさに影響を与えたパラメーターである）とで示される露出値と、手動絞り値と手動シャッター速度と撮像素子の感度とで示される露出値と、の差で表される露出補正値を求める。そして自動露出画像データと露出補正値とに基づいて自動露出で撮影および生成された画像データの各画素の輝度を補正することによって手動露出画像データを生成する。そして制御部は、自動露出画像データが示す自動露出画像と手動露出画像データが示す手動露出画像とを表示部に表示させる。
【０００８】
以上の構成を備えることにより、絞り値およびシャッター速度をユーザーが手動で設定する手動露出モードの場合に、手動絞り値を適用した場合の適正露出の被写体画像（自動露出画像）を視認することができるとともに、手動絞り値および手動シャッター速度を適用した場合の被写体画像（手動露出画像）を視認することができる。すなわち表示部に露出が適正な自動露出画像が表示されるため、ユーザーは被写体の様子を確認しやすい。また、表示部に手動露出画像が表示されるため、設定されている手動露出パラメーター（シャッター速度や絞り値）で撮影した場合の画像の明るさをユーザーは認識することができる。そのためユーザーは表示部を見ながら手動露出パラメーターの調整を行うことができる。なお制御部は、自動露出画像データが示す自動露出画像と手動露出画像データが示す手動露出画像とをユーザーが見比べることができるように表示できればよい。例えば同一の表示部に二つの画像を一度に表示させてもよいし、二つの画像をなんらかのトリガに応じて切り替えて表示させてもよい。
【０００９】
また、自動露出画像は絞りを手動絞り値が示す開口径にした状態で自動露出処理を行って撮像された画像であるので、ユーザーは自身の意図するボケ感が表現された状態の自動露出画像を視認することができる。
【００１０】
さらに、上記目的を達成するための撮影装置において、絞り優先自動露出処理部は、自動シャッター速度が撮影装置の対応可能な最高速値より速くなる場合は、当該最高速値を自動シャッター速度として特定し、また、手動絞り値が示す開口径より小さい開口径を示す絞り値を適正露出となる自動絞り値として特定してもよい。また、自動シャッター速度が撮影装置の対応可能な最低速値より遅くなる場合は、当該最低速値を自動シャッター速度として特定し、また、手動絞り値が示す開口径より大きい開口径に対応する絞り値を適正露出となる自動絞り値として特定してもよい。またその場合に、制御部は、自動シャッター速度と自動絞り値とを適用して撮像部に撮像を行わせて画像データ生成部に自動露出画像データを生成させる。
【００１１】
すなわち、絞り優先自動露出処理部において手動絞り値を適用すると適正露出を得られない場合には絞り値を手動絞り値から変更するが、当該絞り値（自動絞り値）には手動絞り値になるべく近い値を適用することができる。その結果、自動露出画像においては、手動絞り値を適用して撮影を行った場合に生成される画像の被写界深度との差をなるべく小さくすることができる。また、自動露出画像データに基づいて生成される手動露出画像データが示す手動露出画像においても、手動絞り値を適用して撮影を行った場合に生成される画像の被写界深度との差をなるべく小さくすることができる。
【００１２】
さらに、上記目的を達成するための撮影装置において、制御部は、手動露出画像データの明るさが予め決められた上限値より明るくなる場合は、明るさが上限値となるように手動露出画像データを生成して表示させてもよい。また、手動露出画像データの明るさが予め決められた下限値より暗くなる場合は明るさが下限値となるように手動露出画像データを生成して表示させてもよい。下限値以上かつ上限値以下で示される範囲は、被写体を視認しやすい画像の明るさの範囲として予め決められている。なお画像の明るさはどのような指標で表されてもよい。例えば露出値で表されても良い。あるいは画像内の所定領域に含まれる画素の輝度の平均値などであってもよい。
【００１３】
したがって、手動露出画像データが極端に明るくなってしまう場合はそのまま手動露出画像を表示せずに、明るさが被写体を視認しやすい明るさの上限値を上回らない明るさとなるように手動露出画像データを生成し表示させることができる。その結果ユーザーに露出オーバーを認識させつつ、手動露出画像データの視認性を確保することができる。また、手動露出画像データが極端に暗くなってしまう場合はそのまま手動露出画像を表示せずに、明るさが被写体を視認しやすい明るさの下限値を下回らない明るさとなるように手動露出画像データを生成し表示させることができる。その結果ユーザーに露出アンダーを認識させつつ、手動露出画像データの視認性を確保することができる。
【００１４】
尚、請求項に記載された各手段の機能は、構成自体で機能が特定されるハードウェア資源、プログラムにより機能が特定されるハードウェア資源、又はそれらの組み合わせにより実現される。また、これら各手段の機能は、各々が物理的に互いに独立したハードウェア資源で実現されるものに限定されない。さらに、本発明は、撮影方法としても、撮影装置の制御プログラムとしても、またそのプログラムを記録する記録媒体としても成立する。むろん、そのコンピュータプログラムの記録媒体は、磁気記録媒体であってもよいし光磁気記録媒体であってもよいし、今後開発されるいかなる記録媒体であってもよい。
【図面の簡単な説明】
【００１５】
【図１】本発明の実施形態にかかる撮影装置のブロック図。
【図２】ライブビューおよび本撮影の処理の流れを示すフローチャート。
【図３】自動露出画像データおよび手動露出画像データの生成処理を示すフローチャート。
【図４】第一実施形態にかかる表示例を示す図。
【図５】他の実施形態にかかる表示例を示す図。
【発明を実施するための形態】
【００１６】
以下、本発明の実施形態を、添付図面を参照しながら説明する。尚、各図において対応する構成要素には同一の符号が付され、重複する説明は省略される。
【００１７】
１．第一実施形態
１−１．構成
図１は本発明の第一実施形態にかかる撮影装置１を示すブロック図である。撮影装置１には、表示部２０、記録部３０、操作部４０、光学系１０、エリアイメージセンサー１４、制御部１５、調整部８０が備えられている。
【００１８】
操作部４０はシャッター操作部と、撮影モードを切り換えるための操作部と、絞りを切り替えるための操作部と、シャッター速度を切り換えるための操作部と、各種の設定メニューを操作するための操作部とを備えており、利用者は当該操作部４０に対する操作によって撮影装置１に対して各種の指示を与えることができる。
【００１９】
表示部２０は、図示しないインターフェース回路、液晶パネルドライバー、液晶パネル、図示しない接眼レンズ等を備えている。本実施形態において、表示部２０は、撮影対象となる被写体を示す画像を表示して利用者に撮影前の被写体の様子および撮影条件等の情報を把握させるＥＶＦ（Electronic View Finder）であり、本実施形態にかかる撮影装置１はＥＶＦを備えたミラーレスデジタルカメラである。
【００２０】
記録部３０は、図示しない記録媒体を挿入することが可能であり、記録部３０に記録媒体が挿入された状態で、記録媒体に対して情報を記録し、また、記録媒体から情報を読み出すことができる。すなわち、撮影した画像を示す画像データを記録媒体に記録することができる。
【００２１】
光学系１０は、エリアイメージセンサー１４に被写体画像を結像させるレンズ１１、絞り１２、シャッター１３を備えている。本実施形態においてレンズ１１と絞り１２とは図示しない筐体に交換可能に取り付けられる。本実施形態において、レンズ１１は、図１では１枚のレンズのみを描いているが、光軸方向に並べられた複数枚のレンズを含み、各レンズは外縁部で支持されるとともに、少なくとも１枚のレンズは光軸方向に移動可能である。また、本実施形態において、絞り１２は、レンズ１１の光軸に対して垂直な平面内で回動可能に支持された複数の遮蔽板によって構成され、複数の遮蔽板が連動して回動することによって光軸に対して垂直な平面内で遮蔽されていない部分の面積を変化させることが可能である。当該遮蔽されていない部分を光軸中心からの距離で示した値が絞り１２の開口径である。
【００２２】
なお、本実施形態にかかる撮影装置１において、絞り値は１．４〜２２．０の間で選択可能であり、絞り値が小さくなるほど絞り１２の開口径が大きくなり、絞り１２を１段階変化させることによって光量を１／２あるいは２倍に変化させることができる。シャッター速度を固定して絞り値を変化させた場合、絞り値を１段階大きくする（約２1/2倍の絞り値とする：開口径を小さくする）とエリアイメージセンサー１４に到達する光量は１／２倍になり、絞り値を１段階小さくする（約１／２1/2倍の絞り値とする）と当該光量は２倍になる。
【００２３】
シャッター１３は機械シャッターであり、エリアイメージセンサー１４の撮像素子面に対して平行な平面板状の遮光部としての遮光幕を備える。この遮光幕が光軸に対して垂直な方向に駆動可能であり、通常は遮光幕が光軸に平行な方向の光路を遮らない状態で保持されている。また、遮光幕が光路を遮らない状態で保持されている状態において、所定のトリガが与えられると当該遮光幕が保持された状態が解除され、遮光幕は光軸に対して垂直な方向に駆動して光路を遮る状態となる。本実施形態においては、当該シャッター１３とエリアイメージセンサー１４の電子シャッターとを組み合わせることによって記録媒体に記録する画像を撮影する際の露光時間を制御する。
【００２４】
撮像部としてのエリアイメージセンサー１４は、ベイヤー配列されたカラーフィルターと、光量に応じた電荷を光電変換によって画素ごとに蓄積する複数のフォトダイオードとを備えるＣＭＯＳ（Complementary Metal Oxide Semiconductor）イメージセンサーである。むろん、撮像素子はＣＣＤ（Charge Coupled Device）イメージセンサーであってもよい。本実施形態において、エリアイメージセンサー１４は電子シャッター動作を行うことが可能である。すなわち、エリアイメージセンサー１４は、光電変換素子における露光の開始タイミングと露光の終了タイミングをライン毎に制御することが可能であり、各ラインにおいて撮像素子が光を検出する状態となっている時間を調整しながら露光の開始および終了タイミングを調整することが可能である。本実施形態においては、電子シャッターによってライブビュー表示を行うための画像を撮影する際の露光時間を制御する。
【００２５】
従って、本実施形態にかかる撮影装置１は、機械シャッターであるシャッター１３とエリアイメージセンサー１４の電子シャッターとの組み合わせによって露光時間を制御可能であるとともに、エリアイメージセンサー１４の電子シャッターによって露光時間を制御可能である。すなわち、記録媒体に記録する画像を撮影する際には、電子先幕−機械後幕シャッター方式によって露光時間が制御される。具体的には、まず、電子シャッターによりライン順次で露光が開始され、ライン毎の露光時間が設定されたシャッター速度となるタイミングで各ラインが遮光されるように機械シャッターによる遮光が開始される。一方、ライブビュー表示を行うための画像を撮影する際には、電子シャッター方式によって露光時間が制御される。すなわち、先幕も後幕も電子シャッターによって制御される。具体的には、まず、電子シャッターによりライン順次で露光が開始され、ライン毎の露光時間が設定されたシャッター速度となるようにライン順次で露光が終了される。
【００２６】
なお、本実施形態にかかる撮影装置１においては、いずれの方式であっても同一の範囲でシャッター速度を変化させることが可能であり、本実施形態においては、当該シャッター速度を１段階毎に１／２倍あるいは２倍に変化させながら１／４０００（秒）〜１秒の間で選択可能である。絞り１２の開口径を固定してシャッター速度を変化させた場合、シャッター速度を１段階速くするとエリアイメージセンサー１４に到達する光量は１／２倍になり、シャッター速度を１段階遅くすると当該光量は２倍になる。
【００２７】
制御部１５は、撮影装置１の各部を制御するための各種の処理を実行する回路が構成されたＳＯＣ（System On a Chip）であり、制御部１５は、表示部２０と記録部３０と操作部４０と光学系１０とエリアイメージセンサー１４との動作を制御する。当該制御のために、制御部１５は、ライブビュー処理部１５ａ、表示制御部１５ｂ、撮影処理部１５ｃ、記録用画像データ生成部１５ｄ、設定受付部１５ｅを備えている。設定受付部１５ｅは、操作部４０を用いて入力されたユーザーの指示を受け付け、指示に応じた処理を行うように各部に指示を与える機能を有する。ユーザーが操作部４０を操作して入力した手動絞り値や手動シャッター速度やエリアイメージセンサー１４の感度の設定値は設定受付部１５ｅによって受け付けられる。
【００２８】
ライブビュー処理部１５ａは、操作部４０における指示やデフォルト設定に基づいてライブビュー表示対象となる画像の撮影条件を特定し、当該撮影条件にて撮影を行うためのパラメーターを出力する機能を備えている。本実施形態において、当該パラメーターに応じた撮影条件の設定は、調整部８０によって実行される。すなわち、調整部８０は、焦点調整部８０ａ、絞り調整部８０ｂ、シャッター速度調整部８０ｃに対して制御信号を与えて、焦点、絞り１２、シャッター速度を調整するプロセッサーである。なお、ライブビュー表示中において調整されるシャッター速度は電子シャッターである。
【００２９】
また、ライブビュー処理部１５ａは、ライブビュー表示を行うための撮影条件で撮影された画像に対してγ変換等の所定の画像処理を行って表示用の画像を示す画像データを生成する機能を備えている。この場合にライブビュー処理部１５ａは画像データ生成部に相当する。当該画像処理には、ＡＥ（Automatic Exposure）処理を行うための評価値を出力する処理が含まれる。すなわち、ライブビュー処理部１５ａは、エリアイメージセンサー１４による撮影範囲内に設定された所定の測光エリアに含まれる画素の明るさを評価するための評価値（例えば、輝度の平均値等）を特定し、ＡＥ処理を行うための評価値として出力することが可能である。本実施形態では、ライブビュー表示の際、手動絞り値を優先してＡＥ処理を行う。したがってこの場合ライブビュー処理部１５ａは絞り優先自動露出処理部に相当する。
【００３０】
表示制御部１５ｂは、ライブビュー処理部１５ａによって画像処理が行われた画像データを表示部２０に表示させる機能を備えている。すなわち、表示制御部１５ｂは、ライブビュー処理部１５ａから出力された画像データを表示部２０に出力する。また、表示制御部１５ｂは、所定周期のクロック信号に基づいて１フレーム分の表示を行うための期間を規定する垂直同期信号、１ライン分の表示を行うための期間を規定する水平同期信号、各ライン内での画像データの取り込み期間を規定するデータアクティブ信号、各画素の画像データの取り込みタイミング等を規定するデータクロック信号を生成し、表示部２０に対して出力する。この結果、表示部２０においては、水平同期信号が規定する周期でライン毎の描画を行い、垂直同期信号が規定する周期でフレーム描画を行って画像を表示することとなり、所定のフレーム周期（例えば、６０ｆｐｓ）で画像を表示するライブビュー表示を行うことができる。
【００３１】
撮影処理部１５ｃは、記録媒体に記録される画像を撮影する際のパラメーターを出力する機能を備えており、本実施形態では手動絞り値や手動シャッター速度の設定値を示すパラメーターを調整部８０に出力する。調整部８０は、当該パラメーターに応じた制御信号を絞り調整部８０ｂ、シャッター速度調整部８０ｃに対して出力する。この結果、絞り１２およびシャッター速度がユーザー設定通りの設定となるように調整されて撮影が行われ、記録媒体に記録される。なお、記録媒体に記録される画像を撮影する場合、機械シャッターと電子シャッターとの双方によってシャッター速度が調整される。
【００３２】
記録用画像データ生成部１５ｄは、撮影処理部１５ｃが指示した設定で撮影された画像に対してγ変換等の所定の画像処理を行って記録用の画像を示す画像データを生成し、記録媒体に記録する機能を備えている。すなわち、エリアイメージセンサー１４によって撮影された画像に対して画像処理を行い、画像処理後の画像を示す画像データを記録部３０に挿入された記録媒体に記録する。
【００３３】
１−２．ライブビュー処理
次に、ライブビュー撮影における動作を図２のフローチャートを用いて説明する。以降に説明するライブビュー撮影は、本撮影時には手動シャッター速度と手動絞り値とを適用して撮影を行う手動露出モードで実行される。ライブビュー撮影や手動露出モードが終了すると、以下の動作は終了する。はじめに設定受付部１５ｅは手動絞り値と手動シャッター速度とを取得する（ステップＳ１００）。なお本実施形態においては、エリアイメージセンサー１４の感度を示す設定値については、予め操作部４０によってユーザーが設定した値を設定受付部１５ｅが取得済みである（あるいはデフォルト値を取得済み）。そしてライブビュー処理部１５ａは、取得した手動絞り値に基づいて絞り１２を制御する（ステップＳ１０５）。具体的には、ライブビュー処理部１５ａは手動絞り値を調整部８０に出力する。調整部８０は手動絞り値を取得すると、絞り調整部６０に絞り１２の開口径が、手動絞り値が示す径となるように絞り１２を制御する。
【００３４】
続いて設定受付部１５ｅは、シャッター操作部が全押しであるか否かを判定する（ステップＳ１１０）。全押しでない場合、すなわち、半押し状態あるいはシャッター操作部が押されていない状態である場合、ライブビュー処理部１５ａは手動絞り値を適用した場合に適正露出を得るためのシャッター速度を自動シャッター速度として特定する（ステップＳ１１５）。すなわち、ライブビュー処理部１５ａ手動絞り値が示す開口径になるように絞り１２を制御した状態でＡＥ処理を行う。具体的には、ライブビュー処理部１５ａは、ＡＥ処理を行うための評価値を算出し、当該評価値が適正露出範囲を示す値の範囲内か、あるいは当該適正露出範囲より明るいことを示す値か、あるいは当該適正露出範囲より暗いことを示す値かを判定する。なお、この段階におけるシャッター速度にはデフォルト値あるいは前回撮影に使用された値が適用される。評価値が適正露出範囲を示す値の範囲内である場合は、その場合のシャッター速度を、手動絞り値を適用した場合に適正露出を得るための自動シャッター速度として特定する。
【００３５】
評価値が適正露出範囲より明るいことを示す値の場合、ライブビュー処理部１５ａは、調整部８０に対してシャッター速度を１段階速くさせるための制御信号を出力する。この結果、シャッター速度調整部８０ｃがエリアイメージセンサー１４における電子シャッターのシャッター速度を直前のシャッター速度よりも１段階速くさせる。この場合、エリアイメージセンサー１４に到達する光量が直前の状態よりも少なくなるため、この状態でライブビュー処理部１５ａがＡＥ処理を行うための評価値を算出すると、直前の状態よりも暗いことを示す値となる。そこで、以上のようなシャッター速度を速くする処理を、評価値が適正露出範囲となるまで繰り返すことによって、手動絞り値を適用した場合に適正露出を得るための自動シャッター速度を特定することができる。
【００３６】
一方、ＡＥ処理を行うための評価値が適正露出範囲より暗いことを示す値である場合、ライブビュー処理部１５ａは調整部８０に対して、シャッター速度を１段階遅くさせるための制御信号を出力する。この結果、シャッター速度調整部８０ｃがエリアイメージセンサー１４における電子シャッターのシャッター速度を直前のシャッター速度よりも１段階遅くさせる。この場合、エリアイメージセンサー１４に到達する光量が直前の状態よりも多くなるため、この状態でライブビュー処理部１５ａが再度ＡＥ処理を行うための評価値を算出すると、直前の状態よりも評価値は明るいことを示す値となる。そこで、以上のようなシャッター速度を遅くする処理を、ＡＥ処理を行うための評価値が適正露出範囲となるまで繰り返すことによって、手動絞り値を適用した場合に適正露出を得るための自動シャッター速度を特定することができる。なお、評価値が適正露出範囲から大きく外れているなどの場合は、シャッター速度を一度に複数段階変化させてもよい。
【００３７】
続いてライブビュー処理部１５ａは、手動絞り値とステップＳ１１５において特定した自動シャッター速度とを適用してエリアイメージセンサー１４に撮像させて得た出力データを用いてライブビュー表示用の自動露出画像を生成する（ステップＳ１２０）。図３は出力データから自動露出画像データおよび手動露出画像データを生成するために行われる処理の流れを示すフローチャートであり、ステップＳ１２０ではステップＳ２００〜ステップＳ２２５の処理が行われる。すなわち、ライブビュー処理部１５ａは出力データに対して、ゲイン調整処理（ステップＳ２００）、間引き／画素補間処理（ステップＳ２０５）、ホワイトバランス補正処理（ステップＳ２１０）、色再現処理（ステップＳ２１５、人間の視感度の特性に合わせて色を補正する処理）、トーン補正／γ補正処理（ステップＳ２２０）、ノイズ除去／シャープネス処理（ステップＳ２２５）を順に施して、ライブビュー表示用の自動露出画像データを生成する。
【００３８】
続いてライブビュー処理部１５ａは、自動露出画像データと手動シャッター速度と手動絞り値とに基づいて手動露出画像データを生成する（ステップＳ１２５）。具体的にはライブビュー処理部１５ａは、自動露出画像データを生成する過程の画像データである図３のステップＳ２１５の色再現処理後の画像データに対してステップＳ２３０〜ステップＳ２４０の処理を行う。ステップＳ２３０の露出補正処理ではまず、ライブビュー処理部１５ａは適正露出となるシャッター速度（自動シャッター速度）と絞り値（手動絞り値）とエリアイメージセンサー１４の感度の設定値とから露出値（自動露出値と呼ぶ。ＡＥ処理によって算出された適正露出の露出値である。）を算出する。自動シャッター速度や手動絞り値やエリアイメージセンサー１４の感度設定値は、自動露出画像データの明るさに影響を与えたパラメーターである。また、ライブビュー処理部１５ａは手動シャッター速度と手動絞り値とエリアイメージセンサー１４の感度の設定値とから露出値（手動露出値と呼ぶ）を算出する。そしてライブビュー処理部１５ａは（手動露出値−自動露出値）として求められる露出補正値ａを求める。ａ＜０の場合は、手動絞り値と手動シャッター速度を適用した場合は露出アンダーとなることを意味する。ａ＞０の場合は、手動絞り値と手動シャッター速度を適用した場合は露出オーバーとなることを意味する。ライブビュー処理部１５ａは、色再現処理後の画像データの各画素の輝度値Ｐｉｎに対してＰｏｕｔ＝Ｐｉｎ×２ａの計算を行って露出補正後の輝度値Ｐｏｕｔを算出する。例えば露出補正値ａが「＋３（ＥＶ）」であればＰｏｕｔ＝Ｐｉｎ×８である。そしてライブビュー処理部１５ａは、露出補正後の画像データに対してトーン補正／γ補正処理（ステップＳ２３５）、ノイズ除去／シャープネス処理（ステップＳ２４０）を施して手動露出画像データを生成する。
【００３９】
自動露出画像データと手動露出画像データとが生成されると、表示制御部１５ｂは、自動露出画像データが示す自動露出画像と手動露出画像データが示す手動露出画像とを表示部２０に表示させる（ステップＳ１３０）。図４は、自動露出画像と手動露出画像の表示部２０における表示例を示している。図４は、表示部２０の画面２００に、ライブビュー画像表示領域２０１と露出計表示領域２０２とが設けられていることを示している。ライブビュー画像表示領域２０１には領域２０１ａが設定されている。表示制御部１５ｂは、領域２０１ａには当該領域２０１ａに相当する範囲の手動露出画像を表示部２０に表示させ、ライブビュー画像表示領域２０１の領域２０１ａを除く残りの領域には、領域２０１ａを除く残りの領域に相当する自動露出画像を表示部２０に表示させる。あるいはその逆で、領域２０１ａに自動露出画像を表示させ、領域２０１ａを除く残りの領域に手動露出画像を表示させてもよい。なお、領域２０１ａの位置・形状・個数はこれに限られたものではない。ライブビュー画像表示領域２０１の中央以外の位置にあってもよく、例えばライブビュー画像表示領域２０１を上下または左右または斜めに二分割した領域のうちのいずれか一方が領域２０１ａであってもよい。なお、ライブビュー画像表示領域２０１においてライブビュー画像に重畳して撮影条件などを示すＯＳＤ（On Screen Display）が表示されていてもよい。露出計表示領域２０２に表示される露出計は、前述の露出補正値ａを表している。図４の例は、露出補正値ａが−３．５（ＥＶ）、すなわち、自動露出画像の露出値を基準にして手動露出画像の露出値が−３．５（ＥＶ）となる露出アンダーであることを示している。表示制御部１５ｂは、露出計表示領域２０２に露出計を示す画像を表示させる。シャッター操作部が全押しされていない間、少なくとも表示部２０のフレーム周期でステップＳ１００〜ステップＳ１３０を繰り返すことにより、ライブビュー画像を表示部２０に表示することができる。
【００４０】
以上のように、自動露出画像および手動露出画像は、絞り１２の開口径が、手動絞り値が示す開口径となった状態で撮影された出力データから生成されるため、ユーザーが意図した絞り１２の設定での被写界深度を確認することができる。また、表示部２０の画面には自動露出画像と手動露出画像とが表示されるため、ユーザーはライブビュー表示中に被写体を適正露出で視認して構図や撮影タイミングを決定することができるとともに、手動絞り値および手動シャッター速度を適用して撮影した場合の露出もライブビュー表示中に同時に確認することができる。そのためユーザーはエリアイメージセンサー１４で撮像される画像の様子をリアルタイムに認識しながら画角調整やシャッター速度や絞り値の調整等を行うことができる。
【００４１】
Ｓ１１０においてシャッター操作部が全押しされたと判定された場合は、撮影処理部１５ｃは、手動絞り値と手動シャッター速度とを示すパラメーターを調整部８０に出力しエリアイメージセンサー１４に撮像させる（ステップＳ１３５）。そして記録用画像データ生成部１５ｄは、エリアイメージセンサー１４から出力された出力データから記録用の形式に変換した画像を生成し（ステップＳ１４０）、生成した画像を記録部３０に出力し記録媒体に記録させる（ステップＳ１４５）。その後、再びステップＳ１００からの処理を繰り返す。
【００４２】
２．他の実施形態
尚、本発明の技術的範囲は、上述した実施例に限定されるものではなく、以下の変形例を組み合わせるなど本発明の要旨を逸脱しない範囲内において種々変更を加え得ることは勿論である。例えば、ＡＥ処理を行う際に上記実施形態では絞り優先でＡＥ処理を行っていた。しかし絞り値を手動絞り値に固定した状態でＡＥ処理を行って適正露出となるシャッター速度を特定できない場合がある。言い換えると、手動絞り値を適用した場合に適正露出となるシャッター速度が撮影装置１において実現できるシャッター速度の範囲外となる場合がある。その場合は、ライブビュー処理部１５ａは調整部８０に対して、絞り値を手動絞り値から変更するための制御信号を出力する。具体的には、手動絞り値を適用した場合に適正露出となる自動シャッター速度が撮影装置１のシャッター速度の最高速値より速い場合は、ライブビュー処理部１５ａはシャッター速度を当該最高速値とするための制御信号を調整部８０に対して出力し、絞り１２の開口径を１段小さくするための制御信号を調整部８０に出力する。これらの制御信号を受けて、シャッター速度調整部８０ｃが電子シャッターの速度を最高速にし、絞り調整部８０ｂが絞り１２の開口径を一段小さくする。ライブビュー処理部１５ａは再度ＡＥ処理のための評価値を算出し、評価値が適正露出範囲内となるまで絞り１２の開口径を小さくするための制御信号を出力することを繰り返す。
【００４３】
また、手動絞り値を適用した場合に適正露出となる自動シャッター速度が撮影装置１のシャッター速度の最低速値より遅い場合は、ライブビュー処理部１５ａはシャッター速度を当該最低速値とするための制御信号を調整部８０に対して出力し、絞り１２の開口径を１段大きくするための制御信号を調整部８０に出力する。これらの制御信号を受けて、シャッター速度調整部８０ｃが電子シャッターの速度を最低速にし、絞り調整部８０ｂが絞り１２の開口径を一段大きくする。ライブビュー処理部１５ａは再度ＡＥ処理のための評価値を算出し、評価値が適正露出範囲内となるまで絞り１２の開口径を小さくするための制御信号を出力することを繰り返す。絞り値を手動絞り値に固定した状態でＡＥ処理を行って適正露出となる自動シャッター速度を特定できない場合は、以上のようにして適正露出となる自動絞り値と自動シャッター速度を特定する。そして特定された自動絞り値と自動シャッター速度とを適用して撮像して自動露出画像データを生成する。その結果、自動露出画像データを生成するための撮像時に適用する自動絞り値には手動絞り値になるべく近い値を適用することができるので、手動絞り値を適用した場合の被写界深度との差をなるべく小さくすることができる。そのためユーザーは表示部２０に表示された自動露出画像または手動露出画像を含むライブビュー画像を見て、被写界深度を確認しながら手動絞り値を調整することができる。
【００４４】
ところで、手動露出画像が極端に露出アンダーあるいは露出オーバーである場合は、画像が確認できるレベルの明るさの画像にして表示するようにしてもよい。極端に露出アンダーである場合、手動露出画像における被写体の視認性が極端に低下する。これを防ぐために、露出計表示領域２０２に表示する露出計は算出した露出補正値ａをそのまま表示するが、手動露出画像データは、当該露出補正値ａよりも絶対値の小さい露出補正値ａ１と自動露出画像データとに基づいて生成するようにしてもよい。より具体的には例えば、「手動露出値＞露出上限値」の場合は「ａ１＝露出上限値−自動露出値」として露出補正値ａ１を用いて手動露出画像データを生成してもよい。また、「手動補正値＜露出下限値」の場合は「ａ１＝露出下限値−自動露出値」として露出補正値ａ１を用いて手動露出画像データを生成してもよい。このようにすることで、手動露出画像が黒つぶれしたり白飛びしたりすることを防ぎ手動露出画像部分の視認性を確保することができる。また、露出計や後述するようなヒストグラムを表示することにより、極端な露出アンダーまたは露出オーバーの状態にあることをユーザーに案内することができる。なお、このように黒つぶれや白飛びを抑制して手動露出画像を表示するモードと、上記実施形態のように手動絞り値および手動シャッター速度をそのまま適用した場合の手動露出画像（極端に露出アンダーや露出オーバーの場合も黒つぶれや白飛びを抑制しない画像）を表示するモードとを切り替えられるようにしてもよい。
【００４５】
さらに、自動露出画像と手動露出画像の表示態様は上記実施形態で示した例の他にも次のようなものであってもよい。図５は、自動露出画像と手動露出画像との表示に関する他の実施例を示している。図５の例では、ライブビュー画像表示領域２０１に領域２０１ｂと領域２０１ｃとが設けられている。領域２０１ｂには手動露出画像の縮小画像が表示されている。領域２０１ｃには手動露出画像の輝度ヒストグラムが表示されている。輝度ヒストグラムは、図３のステップＳ２３５のトーン補正／γ補正処理後の画像データから作成することができる。なお、図３のステップＳ２２０のトーン補正／γ補正処理後の画像データから自動露出画像の輝度ヒストグラムを作成し、当該自動露出画像の輝度ヒストグラムの各輝度値に２ａ（ａは露出補正値）を乗算して得られる輝度値ごとに画素数を足し合わせることによって、手動露出画像の輝度ヒストグラムを作成してもよい。
【００４６】
また、手動露出画像が極端に露出オーバーまたは極端に露出アンダーである場合に、その旨をユーザーに直感的に認識させるために輝度ヒストグラムの背景色を変化させてもよい。例えば、露出補正値ａが所定範囲内であって露出オーバーの場合は、背景色を茶色にしてグラフ部分を白色にし、露出補正値ａが所定範囲内であって露出アンダーの場合は、背景色を黒にしてグラフ部分を白色にする。露出補正値ａが所定範囲外の極端に露出オーバーの場合は、背景色を黄色にしてグラフ部分の色をピンク色にする。また例えば、露出補正値ａが所定範囲外の極端に露出アンダーの場合は、背景色を紺色にしてグラフ部分をピンク色にする。
【００４７】
また、エリアイメージセンサー１４の出力データから自動露出画像データや手動露出画像データを生成するための画像処理は、上記実施形態の図３に示したような処理に限定されない。順番を変更したり、他の処理を追加したりしてもよい。
また、自動露出画像と手動露出画像の表示は、例えば、所定の時間間隔で手動露出画像の表示・非表示を切り替えるようにしてもよい。
また、表示する露出計は、上記実施形態のようにａの値を表示してもよいし、−ａの値を表示してもよい。
【符号の説明】
【００４８】
１…撮影装置、１０…光学系、１１…レンズ、１３…シャッター、１４…エリアイメージセンサー、１５…制御部、１５ａ…ライブビュー処理部、１５ｂ…表示制御部、１５ｃ…撮影処理部、１５ｄ…記録用画像データ生成部、１５ｅ…設定受付部、２０…表示部、３０…記録部、４０…操作部、６０…調整部、８０…調整部、８０ａ…焦点調整部、８０ｂ…調整部、８０ｃ…シャッター速度調整部
【図１】
0005794187.tif 000002
【図２】
0005794187.tif 000003
【図３】
0005794187.tif 000004
【図４】
0005794187.tif 000005
【図５】
0005794187.tif 000006